(57)【要約】【課題】好適な販売促進活動ができるにおい放出システム、におい放出機、におい放出方法、およびプログラムを提供すること。【解決手段】実施形態のにおい放出システムは、店舗において、においを放出するにおい放出システムであって、所定の商品又はサービスに関する第１のにおいについて、発生具合を判定する決定部と、前記第１のにおいの発生具合に応じて、前記所定の商品又はサービスに関する第２のにおいであって、前記第１のにおいを補う第２のにおいを放出させる放出部とを備える。【選択図】図３
2019179218.tif 000002
【特許請求の範囲】
【請求項１】
店舗において、においを放出するにおい放出システムであって、
所定の商品又はサービスに関する第１のにおいについて、発生具合を判定する決定部と、
前記第１のにおいの発生具合に応じて、前記所定の商品又はサービスに関する第２のにおいであって、前記第１のにおいを補う第２のにおいを放出させる放出部と、
を備える、におい放出システム。
【請求項２】
前記放出部は、前記第１のにおいが発生していないと判定された場合に、前記第２のにおいを放出する
請求項１に記載のにおい放出システム。
【請求項３】
所定の空間の情報を収集する収集部と、
前記収集部の収集した情報に基づいて、においを放出させる強度を決定する決定部と、
前記決定部が決定した強度に基づいて、前記第２のにおいの強さを調整して放出する放出部と、
を備える、請求項１又は２のにおい放出システム。
【請求項４】
前記収集部は、所定の空間の人通りの情報を検出して収集する、
請求項３に記載のにおい放出システム。
【請求項５】
前記収集部は、所定の空間に漂う前記所定のにおいの強度の情報を検出して収集する、
請求項３に記載のにおい放出システム。
【請求項６】
調理機器の使用状況を示す情報を収集する収集部と、
前記収集部の収集した情報に基づいて、においを放出させる強度を決定する決定部と、
前記決定部が決定した強度に基づいて、前記第２のにおいの強さを調整して放出する放出部と、
を備える、請求項１又は２のにおい放出システム。
【請求項７】
店舗において、においを放出するにおい放出機であって、
所定の商品又はサービスに関する第１のにおいの発生具合に応じて、前記所定の商品又はサービスに関する第２のにおいであって、前記第１のにおいを補う第２のにおいを放出させるか否かを決定する決定部
を備える、におい放出機。
【請求項８】
コンピュータが、
所定の商品又はサービスに関する第１のにおいについて、発生具合を判定し、
前記第１のにおいの発生具合に応じて、前記所定の商品又はサービスに関する第２のにおいであって、前記第１のにおいを補う第２のにおいを放出する
におい放出方法。
【請求項９】
コンピュータに、
所定の商品又はサービスに関する第１のにおいについて、発生具合を判定させ、
前記第１のにおいの発生具合に応じて、前記所定の商品又はサービスに関する第２のにおいであって、前記第１のにおいを補う第２のにおいを放出させる
プログラム。
【発明の詳細な説明】
【技術分野】
【０００１】
本発明の実施形態は、におい放出システム、におい放出機、におい放出方法、およびプログラムに関する。
【背景技術】
【０００２】
従来、ユーザの存在を検知して、ユーザのいる方向の空間ににおいを分布させる技術が開示されている（例えば、特許文献１、２参照）。特許文献１では、視聴覚システムで再生する映像や音楽の再生内容と連動したにおいを空間に分布させることで、ユーザを誘導したり、ユーザの購買意欲を高めたりする技術が開示されている。また、特許文献２では、食品のにおいに類似した香料を含む溶液等のにおい成分を微粒子化して空間に拡散することで、食品店舗の入り口付近や売り場周辺ににおい発生装置を配置することで、無人での販売促進活動を行うことを可能にする技術が開示されている。
【先行技術文献】
【特許文献】
【０００３】
【特許文献１】特開２０１３−１６９２３４号公報
【特許文献２】特開２００３−２４４２７号公報
【発明の概要】
【発明が解決しようとする課題】
【０００４】
しかしながら、特許文献１および特許文献２においては、人工的なにおいを発生させることに留まっていた。人工的なにおいだけでは、好適な販売促進活動が図れない場合がある。
【０００５】
本発明が解決しようとする課題は、好適な販売促進活動ができるにおい放出システム、におい放出機、におい放出方法、およびプログラムを提供することである。
【課題を解決するための手段】
【０００６】
実施形態のにおい放出システムは、店舗において、においを放出するにおい放出システムであって、所定の商品又はサービスに関する第１のにおいについて、発生具合を判定する決定部と、前記第１のにおいの発生具合に応じて、前記所定の商品又はサービスに関する第２のにおいであって、前記第１のにおいを補う第２のにおいを放出させる放出部とを備える。
【発明の効果】
【０００７】
本発明のにおい放出装置を使用すると、収集部の収集した情報に基づいて、所定のにおいを放出させることによって、所定のにおいを用いた好適な販売促進活動ができる。
【図面の簡単な説明】
【０００８】
【図１】本実施形態に係る店舗１の外観を示す概略図である。
【図２】本実施形態に係るにおい放出システム１０を示す概略図である。
【図３】本実施形態に係るにおい放出機１００を示すブロック図である。
【図４】本実施形態に係るにおい放出機１００の概要図である。
【図５】本実施形態に係るにおい放出機１００による、におい拡散処理の流れの一例を示すフローチャートである。
【発明を実施するための形態】
【０００９】
以下、実施形態のにおい放出システム、におい放出機、におい放出方法、およびプログラムを、図面を参照して説明する。また、実施形態のにおい放出機は、ショッピングモール内の店舗や、歩道に面した食品販売店舗や、クリーニング等のサービス提供店舗といった、店舗付近を通行人が行き交う立地の店舗に設置することを想定している。以下の説明では、店舗内に厨房を設けるパン屋に設置する例と、店舗内に洗濯設備を設けるクリーニング店に設置する例を用いて説明する。
【００１０】
図１は、本実施形態に係る店舗１の外観を示す概略図である。店舗１には、におい放出機１００が取り付けられている。におい放出機１００は、店舗１から発生する、においを放出する。ここで、においは、所定の商品又はサービスに関する、においである。においの一例として、食品（調理や料理、飲料、材料を含む）、洗剤、建築物、家具、建築部材等のにおいがあり、商品又はサービスに誘導するようなにおいである。例えば、店舗１がパン屋の場合、パンのにおいである。
【００１１】
におい放出機１００は、第１のにおいについて、発生具合を判定する。第１のにおいとは、例えば、所定の商品又はサービスで発生するにおいである。例えば、第１のにおいは、実際にパンが焼かれた場合のにおいである。具体的には、第１のにおいは、パン生地が焼かれているときに発生するにおい、又は焼き立てのパンが発生するにおいである。なお、発生具合とは、例えば、臭気センサで測定された、においの強度である。ただし、本発明はこれに限らず、調理機器や洗濯設備等、においの発生要因となる外部機器の可動状況（可動時間、加熱の強さ、洗剤の量等）であってもよいし、においの強度が可動状況と予め対応づけられてもよい。
【００１２】
におい放出機１００は、第１のにおい発生具合に応じて、所定の商品又はサービスに関する第２のにおいであって、第１のにおいを補う第２のにおいを放出させる。第２のにおいは、第１のにおいと同一或いは略同一のにおいである。略同一のにおいとは、例えば、人が同じ商品のにおいであると認識するものである。例えば、パンであれば、第１のにおいは実際にパンが焼かれた場合のにおいであり、第２のにおいは、一般消費者がパンのにおいと認識するものである。例えば、におい放出機１００は、第１のにおいが弱い場合に、第２のにおいの放出を増加させる。一方、におい放出機１００は、第１のにおいが強い場合に、第２のにおいの放出を減少させる、又は、第２のにおいの放出を止める。
【００１３】
このように、におい放出機１００は、所定の商品又はサービスに関する、実際のにおい（第１のにおい）の発生状況に応じて、このにおいを補うにおい（第２のにおい）を発生させる。これにより、店舗１では、実際に店舗で発生するにおい（第１のにおい）で集客をしつつ、そのにおいが弱いときには、そのにおいを補うにおい（第２のにおい）を発生させることで集客をすることができる。
【００１４】
なお、におい放出機１００の通風器１９０は、店舗１において、人通りがある側（歩道側や通路側）に取り付けられてもよい。また、通風器１９０は、店舗の壁面等において、人の顔の高さ（例えば、２ｍ以下）より下部（鉛直下）に取り付けられてもよい。これにより、店舗１では、においが人の鼻付近に到達しやすくできる。また、通風器１９０は、放出される風の強さを制限するカバーが付けられてもよい。このカバーは、風の方向を、下方向へ傾けるものであってもよい。また、このカバーは、においが放出される方向を、多方向へ拡散するものであってもよい。芳香装置１５０および通風器１９０は、「放出部」の一例である。
【００１５】
また、壁面等の下部に取り付けられる通風器１９０は、第２のにおいを放出する通風器１９０（「通風器１９０−２」ともいう）のみであってもよいし、第１のにおいを放出する通風器１９０（「通風器１９０−１」ともいう）と通風器１９０−２の両方であってもよい。通風器１９０−１からは、熱気や調味料等が気化した物質が放出されることもある。店舗１では、通風器１９０−１が上方（送風した風が人に当たらない位置等）に取り付けられ、通風器１９０−２が通風器１９０−１よりも下方に取り付けられてもよい。
【００１６】
図２は、本実施形態に係るにおい放出システム１０を示す概略図である。
におい放出システム１０は、各種センサデバイス（臭気センサ１１０、カメラ１２２、外部機器センサ１３０等）、におい放出機１００、情報収集サーバ１４０を具備する。これらの電子機器は、インターネット等のネットワークを介して、又は、少なくとも１つの装置間で直接的に、接続されている。
【００１７】
臭気センサ１１０は、所定のにおいの有無、又は、所定のにおいの強さを収集する。人感センサ１２１は、人やペット等の動物を検出する。例えば、人感センサ１２１は、赤外線カメラであり、店舗１に存在する人（通行人等）を検出する。カメラ１２２は、映像を撮像する。例えば、カメラ１２２は、店舗１の外側を撮像するように設置され、人通りのある道路や通路を撮像する。外部機器センサ１３０は、外部機器の稼働状況をセンシングするセンサである。情報収集サーバ１４０は、外部情報を収集するサーバである。外部情報は、例えば、天気予報、交通情報（鉄道の運行情報）、イベント情報等であり、これらの情報は、地域毎の情報であってもよい。
【００１８】
におい放出機１００は、各種センサデバイスがセンシングした情報に基づいて、第２のにおいを放出するか否か、又は、第２のにおいの放出具合或いは発生動作の設定を決定する。におい放出機１００は、第２のにおいを放出すると決定した場合、第２のにおいを放出する。また、におい放出機１００は、第２のにおいの放出具合或いは設定により、第２のにおいを放出する。
【００１９】
また、におい放出機１００は、情報収集サーバ１４０が収集した外部情報に基づいて、第２のにおいを放出するか否か、又は、第２のにおいの放出具合或いは発生動作の設定を決定してもよい。例えば、晴れの日は、第２のにおいを弱めてもよいし、逆に、雨の日等は、においが拡散し難いので、晴れの日と比較して強い第２のにおいを放出してもよい。また、におい放出機１００は、店舗１と同じ地域でイベントが開催される場合、又は、店舗１がイベント会場への通り道である場合に、イベントが開催されない場合と比較して、強い第２のにおいを放出してもよい。
【００２０】
図３は、本実施形態のにおい放出機１００の機能を示すブロック図である。図３のにおい放出機１００は、例えば、収集部１６０と、決定部１７０と、制御部１８０と、通風器１９０と、芳香装置１５０とを備える。なお、決定部１７０および制御部１８０の構成要素は、例えば、ＣＰＵ（Central Processing Unit）等のハードウェアプロセッサがプログラム（ソフトウェア）を実行することにより実現される。また、これらの構成要素のうち一部又は全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）等のハードウェア（回路部；circuitryを含む）によって実現されてもよいし、ソフトウェアとハードウェアの協働によって実現されてもよい。プログラムは、予めＨＤＤ（Hard Disk Drive）やフラッシュメモリ等の記憶装置に格納されていてもよいし、ＤＶＤ（Digital Versatile Disc）やＣＤ−ＲＯＭ等の着脱可能な記憶媒体に格納されており、記憶媒体がドライブ装置に装着されることで記憶装置にインストールされてもよい。
【００２１】
収集部１６０は、所定の空間の情報を収集する。所定の空間の情報とは、例えば、店舗の周辺の単位時間あたりの人通りの多さである。収集部１６０は、例えば、人通りを検知する人感センサ１２１や、店舗が面する通路や歩道の人通りを捉えるカメラ１２２の映像に基づいて、店舗の周辺の単位時間あたりの人通りの多さを収集する。
【００２２】
また、収集部１６０は、所定の空間の情報として、単位時間あたりの店舗の周辺に漂う所定のにおい（パンの焼けるにおいや、洗濯洗剤のにおい）の強さを収集する。例えば、店舗内の入り口付近や店舗内部（例えば、換気口）には、臭気センサ１１０が設置される。収集部１６０は、例えば、これらの臭気センサ１１０のセンシング結果から、所定のにおいの強さを収集する。なお、一般に、焼きたてのパンのにおいや、洗濯洗剤のにおいは、複数の芳香物質から構成される。したがって、臭気センサ１１０は、所定のにおいの強さを検出する際に、所定のにおいを構成する全ての芳香物質を検出対象としてもよいし、所定のにおいのうち特徴的な１以上の芳香物質を検出対象としてもよい。収集部１６０は、収集結果を決定部１７０に出力する。
【００２３】
決定部１７０は、収集部１６０から出力された収集結果に基づいて、芳香装置１５０を用いて所定のにおいを放出するか否かを判定する。また、決定部１７０は、芳香装置１５０を用いて放出するにおいの強さを決定する。
【００２４】
決定部１７０は、例えば、収集部１６０が所定の空間の人通りの多さを収集した場合、人通りが一定数以下であれば、放出するにおいの強さを弱め、一定数以上であれば、放出するにおいの強さを強めると決定してもよい。ただし、一般に、芳香成分が適当な濃度の空気を嗅いだ場合には、多くの消費者がよいにおいであると感じるにおいであっても、芳香成分が濃密すぎると不快に感じる場合がある。したがって、放出するにおいの強さは、例えば、店内に漂うにおいの強さを基準として決定するものであり、過度に濃密なにおいにならないように調整されることが望ましい。決定部１７０は、決定結果を制御部１８０に出力する。
【００２５】
決定部１７０は、例えば、時間の情報に基づいて放出するにおいの強さを決定してもよい。決定部１７０は、例えば、店舗の営業時間内であれば芳香装置１５０を用いて所定のにおいを放出すると決定するが、営業時間外であったり、閉店時間直前であったりすれば芳香装置１５０に所定のにおいを放出させないと決定する。
【００２６】
また、決定部１７０は、後述する芳香装置１５０が複数の種類のにおいを放出することができる場合、収集部１６０の収集結果に基づいて、複数のにおいの中から放出するにおいを決定してもよい。
【００２７】
制御部１８０は、決定部１７０の決定結果に基づいて、通風器１９０および芳香装置１５０を制御する。通風器１９０は、例えば、店舗の通路や歩道に面した箇所に設置され、店舗内の空気を店舗外に排出する通風装置である。通風器１９０は、店舗の換気装置を兼ねてもよい。通風器１９０は、１つ以上の通風ファンを備える。通風器１９０は、「放出装置」の１例である。
【００２８】
芳香装置１５０は、におい（第２のにおい）を発生させる装置である。芳香装置１５０は、例えば、装置内部に貯蔵する所定のにおいを再現させるための物質（例えば、所定のにおいを再現させるための香料を溶解させた溶液や固形物）を空気に触れさせてにおい成分を揮発させ、所定のにおい成分を含む香気を発生させる。芳香装置１５０が発生させた香気は、通風器１９０によって所定の空間に拡散される。
【００２９】
なお、芳香装置１５０は、においの発生を再現するものであってもよい。例えば、パン屋の場合、芳香装置１５０は加熱機器であってもよい。つまり、店員は、パン生地やパンを予め加熱機器に置く。芳香装置１５０は、加熱機器でパン生地やパンを加熱することで実際に小麦やパンを焼くことで、においを発生させてもよい。また、焼鳥屋、焼き肉屋、鰻屋等の場合、芳香装置１５０は、例えば、液体を滴下或いは噴霧する供給装置と加熱機器で構成されてもよい。芳香装置１５０は、加熱機器を加熱しておき、そこにタレ等の液体を滴下或いは噴霧することで、液体を熱してにおいを発生させる。
【００３０】
制御部１８０は、芳香装置１５０が香気を発生させている間、通風器１９０を常時稼働させて所定のにおいを拡散させてもよいし、何らかの稼働パターン（例えば、数秒拡散させて、数秒停止することを繰り返す）に従って稼働させることで所定のにおいを拡散させてもよい。
【００３１】
なお、収集部１６０は、におい（第１のにおい）の発生源となる外部機器（例えば、パン屋であればオーブンのような調理機器、クリーニング店であれば洗濯設備やプレス装置）の稼働状況を収集してもよい。収集部１６０は、例えば、外部機器と通信可能である場合、外部機器の稼働状況を都度受信してもよいし、稼働状況が変化するタイミングで受信してもよい。また、収集部１６０は、例えば、外部機器に取り付けられた稼働センサから、稼働状態を示す情報を取得する。稼働センサとは、外部機器の稼働状況（開始や終了）をセンシングするセンサである。稼働センサは、例えば、外部機器の開始・終了時の作動音、外部機器の温度、外部機器の備える表示部の表示をセンシングしてもよい。また、収集部１６０は、外部機器が定期的に作動するのであれば、時刻に応じて作動状態を推定してもよい。
【００３２】
収集部１６０は、例えば、外部機器が稼働中である場合には、既に所定のにおいが発生していることが想定されることから、所定のにおいの強度を収集しなくてもよい。外部機器が稼働中である場合とは、例えば、パン屋であればオーブンが点火されて調理中である状態のことであり、クリーニング店であれば洗濯装置によって洗濯が行われている状態やプレス装置によってアイロンがけが行われている状態のことである。
また、外部機器が稼働中である場合には、決定部１７０は芳香装置１５０を用いて所定のにおいを放出させないと決定してもよい。
【００３３】
ただし、外部機器が稼働中であっても、所定のにおいが発生していない場合や、空間に漂う所定のにおいが希薄である場合には、収集部１６０が、所定のにおいの強度を収集した結果に基づいて、芳香装置１５０を用いて特定のにおいの強度となるよう補完させてもよい。
【００３４】
また、芳香装置１５０は、においの発生源となる外部機器そのものであってもよい。その場合、芳香装置１５０は、制御部１８０から出力された制御命令に基づいて、外部機器を制御する。外部機器の制御とは、例えば、パン屋であればオーブンを消火状態から点火状態にすることである。また、制御部１８０は、オーブンを消火状態から点火状態にするようにおい放出機１００の設置者にアラーム等で通知してもよい。
【００３５】
また、芳香装置１５０は、においの発生源となる外部機器を模した装置であってもよい。外部機器を模した装置とは、例えば、パン屋であれば、商品として使用することを目的としないパン（試作品や試食品など）を焼くオーブンである。また、外部機器を模した装置とは、例えば、クリーニング店であれば、衣料品の入っていない洗剤の入った水だけを撹拌させる装置でもよい。
【００３６】
図４は、におい放出機１００の模式図である。におい放出機１００は、例えば、２つの通風器１９０−１、１９０−２を備える。通風器１９０−１は、店内の空気を店外に放出し、換気扇の役割を果たす。通風器１９０−２は、芳香装置１５０と接続し、芳香装置１５０の放出する香気を店外に拡散する。
【００３７】
図４に示すにおい放出機１００は、例えば、決定部１７０が、外部機器が稼働中であり、芳香装置１５０によるにおいの放出が不要であると決定したときは通風器１９０−１を稼働させるが、通風器１９０−２は稼働させない。また、におい放出機１００は、例えば、決定部１７０が、外部機器が稼働中でないため、芳香装置１５０によるにおいの放出を行うと決定したときは通風器１９０−２を稼働させる。このとき、通風器１９０−１は稼働させてもよいし、稼働させなくてもよい。
【００３８】
図５は、におい放出機１００による、におい拡散処理の流れの一例を示すフローチャートである。図５に示すフローチャートは、所定のタイミングで繰り返し実行されてよい。
【００３９】
まず、収集部１６０は所定の空間の情報を収集する（ステップＳ１００）。次に、決定部１７０は、所定のにおいを放出するか否かを判定する（ステップＳ１０２）。決定部１７０は、放出すると判定した場合、放出するにおいの強度を決定する（ステップＳ１０４）。決定部１７０は、放出すると判定しなかった場合、ステップＳ１００に処理を戻す。
【００４０】
ステップＳ１０２の処理の後、制御部１８０は、決定部１７０の決定結果に基づいて、通風器１９０および芳香装置１５０を制御して、所定のにおいを拡散する（ステップＳ１０６）。これにより、本フローチャートの処理は、終了する。
【００４１】
また、上述の実施形態では、店舗内に所定のにおいの発生源である厨房や洗濯施設を持つ店舗に設置される例を挙げて説明したが、調理・製造機器や、洗濯設備等が併設されていない小売店や代理店ににおい放出機１００が設置されてもよい。
【００４２】
また、上述の実施形態において、におい放出機１００は、人通りが多いことを検出して、人通りが多くなる時間を予測して、又は、予め定められた時間（いつも人通りが多くなる時間）に、第２のにおいを放出してもよい。また、におい放出機１００は、第２のにおいの発生させるべき時間に基づいて、第２のにおいの発生動作を開始させてもよい。例えば、におい放出機１００は、第２のにおいとしてパン生地やパンを加熱する場合、加熱開始からにおいがよく発生する設定時間（例えば、１０分）を予め記憶しておく。におい放出機１００は、第２のにおいを発生させるべき時間（例えば、人通りが多くなる時間）から、設定時間を前倒しして、第２のにおいを発生させるための加熱を開始してもよい。
【００４３】
なお、においの発生具合とは、臭気センサが出力するにおいの強度や、特定のにおい成分（化学物質等）の量であってもよいし、これらの強度や量に対応付けられた値等であってもよい。におい放出機１００は、例えば、第１のにおいと第２のにおいによるにおいの発生具合が、予め定めた目標値になるように、第２のにおいを発生させる。例えば、におい放出機１００は、第１のにおいの発生具合と、その発生具合に見合った目標値にできる、第２のにおいの発生具合又は第２のにおいの発生動作の設定とを対応付けて予め記憶してもよい。例えば、におい放出機１００は、検出した第１のにおいの発生具合に応じて、その発生具合と対応する第２のにおいの発生動作の設定に基づいて、第２のにおいを発生させる。発生動作の設定とは、例えば、通風器１９０の動作（風速、風向、間欠送風の期間等を制御する動作）、芳香装置１５０の動作（物質と空気の接し具合の調整（容器の開閉等）、送風、加熱、液滴或いは噴霧等を制御する動作）等の設定であってもよい。例えば、パン生地やパンを加熱して第２のにおいを発生させる場合、発生動作の設定とは、その加熱の時間、加熱の強さ、滴下或いは噴霧する液体容量等の設定であってもよい。
【００４４】
なお、におい放出機１００は、目標値等（目標値、第２のにおいの放出具合、或いは発生動作の設定）を、所定の空間の情報や外部情報に基づいて、変更してもよい。例えば、におい放出機１００は、人通りが多い場合、人通りが少ない場合と比較して高い目標値等を設定し、より強いにおいを放出してもよい。また、におい放出機１００は、晴れの日は、目標値等を低くして、より弱いにおいを放出するようにしてもよい。逆に、におい放出機１００は、雨の日等はにおいが拡散し難いので、晴れの日と比較して高い目標値等を設定し、より強いにおいを放出してもよい。また、におい放出機１００は、店舗１と同じ地域でイベントが開催される場合、又は、店舗１がイベント会場への通り道である場合に、イベントが開催されない場合と比較して高い目標値等を設定し、より強いにおいを放出してもよい。
【００４５】
また、におい放出機１００は、カメラで撮像した映像から、すでに通った人、現在通っている人、或いはこれから通る人の属性情報を取得してもよい。属性情報とは、例えば、性別、年齢等である。におい放出機１００は、属性情報に基づいて、目標値等を設定してもよいし、変更してもよい。例えば、におい放出機１００は、属性情報が所定条件を充足する場合には、高い目標値等を設定し、より強いにおいを放出するようにしてもよい。ここで、所定条件とは、例えば、店舗１の購買層や購買への貢献が高い人と一致する、という条件である。例えば、パン屋の場合、におい放出機１００は、属性情報が２０代〜４０代の女性の場合に高い目標値等を設定してもよいし、属性情報が４歳〜１５歳程の子供の場合に高い目標値等を設定してもよい。また、におい放出機１００は、目標値等を設定しなくてもよく、属性情報が所定条件を充足する場合には、第２のにおいを放出すると決定してもよい。
【００４６】
以上説明したように、実施形態のにおい放出機１００によれば、収集部１６０によって収集された所定の空間の人通りや所定のにおいの強さの情報に基づいて、決定部１７０が所定のにおいを放出するか否かを決定し、且つ、放出する所定のにおいの強度を決定し、制御部１８０が通風器１９０および芳香装置１５０を制御して所定のにおいを拡散することによって、においによる好適な販売促進活動ができる。
【００４７】
以上説明した少なくともひとつの実施形態によれば、収集部によって所定の空間の情報を収集し、その収集した情報に基づいて、決定部が芳香装置を用いて放出させるにおいの強度を決定して通風器を用いて放出させることで、好適なにおいによる販売促進活動をすることができる。
【００４８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。ただし、本発明の放出システムは、においによる好適な販売促進活動という観点から、パン屋などの食品又は食品に係るサービスにより好ましく用いることができる。
【符号の説明】
【００４９】
１…店舗、１０…におい放出システム、１００…におい放出機、１１０…臭気センサ、１２１…人感センサ、１２２…カメラ、１３０…外部機器センサ、１４０…情報収集サーバ、１５０…芳香装置、１６０…収集部、１７０…決定部、１８０…制御部、１９０…通風器
【図１】
2019179218.tif 000003
【図２】
2019179218.tif 000004
【図３】
2019179218.tif 000005
【図４】
2019179218.tif 000006
【図５】
2019179218.tif 000007